(57)【要約】【課題】  頭皮に対して均一な圧力での揉み洗いとマッサージ作用が得られるようにした頭皮洗浄器具を提供する。【解決手段】  台部裏面１Ｂ，３Ｂに複数個の櫛状突起５を形成してなる一対のブラシ体１，３を備え、上記一対のブラシ体１，３は平行に接近離反自在に連結されるとともに、一対のブラシ体１，３の間に弾性部材２０，３０を介装し、常時は離反する方向に付勢するとともに接近させる方向の押圧力によりこの付勢力に抗して接近自在としたものである。【選択図】図１
2005192694.tif 000002
【特許請求の範囲】
【請求項１】
台部裏面に複数個の櫛状突起を形成してなる一対のブラシ体を備え、上記一対のブラシ体は平行に接近離反自在に連結されるとともに、一対のブラシ体の間に弾性部材を介装し、常時は離反する方向に付勢するとともに接近させる方向の押圧力によりこの付勢力に抗して接近自在としたことを特徴とする頭髪洗浄器具。
【請求項２】
一方のブラシ体と他方のブラシ体の対向面に相互に食い込んで係合し合う凹面部と凸面部を設け、この凸面部に櫛状突起を設けたことを特徴とする請求項記載１の頭髪洗浄器具。
【請求項３】
一対のブラシ体の弾性部材が露出する対応部分に頭髪の侵入阻止部材を設けたことを特徴とする請求項１又は２項記載の頭髪洗浄器具。
【発明の詳細な説明】
【技術分野】
【０００１】
本発明は、頭髪のシャンプー時に使用される頭髪洗浄器具に係り、特に、片手で使用し易くマッサージ効果を高くしたものに関する。
【背景技術】
【０００２】
従来から、頭髪の洗髪には、シャンプーブラシが使用されている。このシャンプーブラシは、理容室で多用されているもので、最近は一般家庭でもその効用が認識されて使用されている。その使用方法は、片手にシャンプーブラシを持ち、もう一方の片手でシャンプー液を頭髪に振り掛けた後に片手で揉み上げながら、シャンプーブラシで頭髪及び頭髪の毛根に溜まる皮脂を洗い取る。これと同時に、シャンプーブラシは、頭皮のマッサージも兼ねた作用が期待されている。
【０００３】
しかしながら、上記シャンプーブラシは、一つの台部裏面に複数個の櫛状突起を形成してなるものである。このため、片手に持ったシャンプーブラシを頭皮に対して平行移動させるには、片手を大きく操作しなければならないから、頭髪の毛根に溜まる皮脂を洗い取ることや頭皮を均等にマッサージすることができ難いという問題がある。即ち、その使用方法には、個人差があるし、少しばかりの熟練を要するという問題がある。
【０００４】
そこで、頭皮の面方向に櫛状突起が往復運動を繰り返すようにブラシ部を２分割し、これを手動操作させるものが提供されている。このブラシは、頭髪の養毛・育毛用のマッサージ効果が得られるとされている。この頭皮をマッサージするマッサージ器具としては、頭皮の面方向に突起が往復運動を繰り返すように２分割したブラシ部を手動操作するものが提供されている。より具体的には、それぞれの一面（突起面）に皮膚に接触する突起（が複数形成された第１のマッサージ部材と第２のマッサージ部材が互いに平行に配置され、かつ前記第１のマッサージ部材及び第２のマッサージ部材が、側面視「く」字状に屈曲可能な第１のばね部材で連結されている。そして、第１のマッサージ部材及び第２のマッサージ部材に手の指による加圧およびその解除を繰り返し、第１のマッサージ部材及び第２のマッサージ部材の開閉を繰り返しながら、好ましくはマッサージ器具を頭皮と接触させたまま頭皮の面方向に移動させると、頭皮のその面方向での圧縮（揉み動作）を繰り返しながら頭皮全面を摩擦することができ、爽快感とともに高いマッサージ効果を得ることができるものである（例えば、特許文献１参照。）。
【０００５】
しかしながら、上記頭皮マッサージ器具は、第１のマッサージ部材及び第２のマッサージ部材の開閉を繰り返しながら、好ましくはマッサージ器具を頭皮と接触させたまま頭皮の面方向に移動させると、頭皮のその面方向での圧縮（揉み動作）を繰り返しながら頭皮全面を摩擦するものである。このため、第１のマッサージ部材及び第２のマッサージ部材は頭皮の面方向に沿った平行往復移動とならない。このために、第１のマッサージ部材及び第２のマッサージ部材が離れると圧力が低下し、接近し合うと圧力が強くなる傾向があり、頭皮に対して均一な圧力での揉み洗いやマッサージ作用が得られないという問題がある。
【０００６】
【特許文献１】特開平１０−１５００７号公報
【発明の開示】
【発明が解決しようとする課題】
【０００７】
本発明はこのような点に基づいてなされたものであってその目的とするところは、頭皮に対して均一な圧力での揉み洗い作用やマッサージ作用が得られるようにした頭髪洗浄器具を提供することにある。
【課題を解決するための手段】
【０００８】
上記目的を達成するべく本発明の請求項１による頭髪洗浄器具は、台部裏面に複数個の櫛状突起を形成してなる一対のブラシ体を備え、上記一対のブラシ体は平行に接近離反自在に連結されるとともに、一対のブラシ体の間に弾性部材を介装し、常時は離反する方向に付勢するとともに接近させる方向の押圧力によりこの付勢力に抗して接近自在としたことを特徴とするものである。
【０００９】
また、請求項２による頭髪洗浄器具は、請求項１記載の頭髪洗浄器具において、第１のブラシ体及び第２のブラシ体の対向面に相互に食い込んで係合し合う凹面部と凸面部を設け、この凸面部に櫛状突起を設けたことを特徴とするものである。
【００１０】
また、請求項３による頭髪洗浄器具は、請求項１または２記載の頭髪洗浄器具において、一対の支持体と弾性部材との間に短い毛羽を設けたことを特徴とするものである。
【００１１】
本発明の頭髪洗浄器具によると、まず、櫛状突起を台部裏面に設けたブラシ体は、２分割された第１のブラシ体及び第２のブラシ体からなり、この第１のブラシ体及び第２のブラシ体は、一対の支持部により平行に接近離反可能とし、弾性部材により離反位置に保持されている。これで、上記第１のブラシ体及び第２のブラシ体の外側に手の親指根元と４本の指を掛ければ良いから、手の平に納まって持ち易く使用し易い。そして、握り締めると第１のブラシ体及び第２のブラシ体が平行移動して接近し、握りを緩めると第１のブラシ体及び第２のブラシ体が平行移動して離反する。これにより、２分割されたブラシ体が頭皮の表面方向に平行移動することとなり、ブラシ体裏面の櫛状突起が頭皮表面を均等な圧力で揉みほぐしてマッサージするから頭皮を傷付けない。
【００１２】
また、頭髪のシャンプー時は、片手に頭髪洗浄器具を持って操作でき、もう一方の片手でシャンプーができるから、頭髪の洗浄を均等に且つ頭髪を傷めることなく毛根内部までの洗浄が効率良くできる。しかして、マッサージ効果と毛根内部までの完全な洗浄により、発毛促進が期待される。
【００１３】
更に、第１のブラシ体及び第２のブラシ体の対向面に相互に食い込んで係合し合う凹面部と凸面部を設け、この凸面部に櫛状突起を設けたから、頭皮の表面全体を均等にマッサージできるとともに、洗髪も均等に効率良く行える。
【００１４】
更に、一対のブラシ体の弾性部材が露出する対応部分に頭髪の侵入阻止部材を設けているから、頭髪の先端がブラシ体と弾性部材との間に入り込むことがなく、安全且つ快適に使用される。
【発明の効果】
【００１５】
本発明によると、２分割されたブラシ体は、頭皮の表面方向に平行移動となり、ブラシ体の裏面に設けた櫛状突起が頭皮表面を均等な圧力で揉みほぐして頭皮を傷付けずにマッサージ効果が高められて発毛促進できる。更に、頭髪のシャンプー時には、片手でシャンプーができ、頭髪内部の毛根洗浄を均等にできる。
【００１６】
更に、第１のブラシ体及び第２のブラシ体の対向面に凹面部と凸面部を設け、この凸面部に櫛状突起の櫛状突起を設けたから、頭皮の表面全体を均等にマッサージできるとともに、洗髪も均等に効率良くできる。そして、一対のブラシ体の弾性部材が露出する対応部分に頭髪の侵入阻止部材を設けたから、頭髪の先端が支持体と弾性部材との間に入り込むことがなく、安全且つ快適に使用できる。
【発明を実施するための最良の形態】
【００１７】
以下、図１乃至図６を参照して本発明の第１の実施の形態を説明する。図１は第１の実施の形態に係る頭髪洗浄器具の斜視図、図２は底面図である。更に、図３は断面図、図４は要部の変形例の断面図、図５と図６は作用図である。
【００１８】
図１乃至図３に示すように、頭髪洗浄器具１００は、２分割した第１のブラシ体１及び第２のブラシ体３の各裏面１Ｂ，３Ｂに多数の櫛状突起５が起立して設けられている。上記第１のブラシ体１及び第２のブラシ体３は、平行して摺動し、接近離反するように、両側に設けた一対の支持部１０，１１により支持されている。その構成は、一方の第１のブラシ体１の左右両側に平行する支持片１Ｃ，１Ｄを突設するとともに、この対向する内面にガイド部材としての角溝１Ｅ，１Ｆが凹設されている。また、他方の第２のブラシ体３の左右両側に凸状の支持片３Ｃ，３Ｄを突設する。この第２のブラシ体３の支持片３Ｃ，３Ｄを、上記第１のブラシ体１の左右両側に設けた支持片１Ｃ，１Ｄの角溝１Ｅ，１Ｆに係合して摺動可能に支持される。常時は、図１と図２に示すように、第１のブラシ体１に対して、第２のブラシ体３が離反位置に保持されるように、角溝１Ｅ，１Ｆ内に圧装した弾性部材（コイルバネ）２０，３０によって、第１のブラシ体１の角部１Ｇ，１Ｈと支持片３Ｃ，３Ｄの角部３Ｇ，３Ｈとを反発させ離反させている。尚、図２と図３に示すように、上記弾性部材２０，３０を収めたガイド部材としての角溝１Ｅ，１Ｆの開口縁には、侵入阻止部材ＳＢとしての毛羽Ｋを付設又は植毛して頭髪の侵入を防止する構成としている。
【００１９】
上記頭髪洗浄器具１００における左右の一対の支持部１０，１１は、図４に示すように、変更させても良い。即ち、角溝（凹部）１Ｅ，１Ｆは開口１Ｍ，１Ｎを持つ筒管１Ｅ´，１Ｆ´とし、凸状の支持片（凸部）３Ｃ，３Ｄは球状支持片３Ｃ´，３Ｄ´として、筒管１Ｅ´，１Ｆ´内に係合させ、この開口１Ｍ，１Ｎに侵入阻止部材ＳＢとしての毛羽Ｋを付設又は植毛して頭髪の侵入を防止する構成としている。
【００２０】
上記頭髪洗浄器具１００は、手の平に収められる大きさであり、２分割した上記第１のブラシ体１及び第２のブラシ体３を片手で持ち易く、操作し易くするために、上記第１のブラシ体１及び第２のブラシ体３の外側に手Ｈの親指根元Ｈ１との係合部１Ｌ及び親指以外の４本の指Ｈ２との係合部３Ｌとを形成させている。勿論、この係合部１Ｌ及び係合部３Ｌは、単なる平面形状としても、第１のブラシ体１及び第２のブラシ体３を片手Ｈで持って操作することができるが、上記のようにすることでより操作し易くなっている。しかして、第１のブラシ体１及び第２のブラシ体３は、図５と図６に示すように、片手Ｈに持った場合、親指根元Ｈ１との係合部１Ｌ及び親指以外の４本の指Ｈ２との係合部３Ｌを縮めて接近させることができ、手を緩めると弾性部材２０，３０の反発力で離反される。
【００２１】
更に、第１のブラシ体１及び第２のブラシ体３には、この対向面１Ｉ，３Ｉに相互に食い込んで係合し合う凹面部１Ｊ，３Ｊと凸面部１Ｋ，３Ｋを設けている。この凸面部１Ｋ，３Ｋには、１〜３本の櫛状突起５が起立して設けられている。そして、第１のブラシ体１及び第２のブラシ体３の裏面１Ｂ，３Ｂに多数の櫛状突起５が設けられている。凸面部１Ｋ，３Ｋの１〜３本の櫛状突起５及びブラシ部１Ａ，３Ａの裏面１Ｂ，３Ｂの櫛状突起５は、ランダムに又は千鳥状に配列されている。勿論、櫛状突起５は、直線状に平行して配列させても良い。上記櫛状突起５の先端は、頭皮ＴＨを傷付けないように球状に加工するのが望ましい。更に、櫛状突起５の硬度も任意に選択される。上記の構成により、頭皮ＴＨにはブラシ部１Ａ，３Ａの多数の櫛状突起５が均等に当接でき、且つ頭髪ｈに対しても均等に絡み合うことができる。
【００２２】
以上の構成を基にその作用を説明する。まず、この頭髪洗浄器具１００は、２分割された第１のブラシ体１及び第２のブラシ体３に櫛状突起５を設けたものである。そして、この第１のブラシ体１及び第２のブラシ体３は、両側に設けた一対の支持部１０，１１により平行に接近離反可能で、弾性部材２０，３０により、常時は図５に示す離反位置に保持されているものである。そして、図６に示すように、握り締めると第１のブラシ体１及び第２のブラシ体３が平行移動して接近し、図５に示すように、握りを緩めると第１のブラシ体１及び第２のブラシ体３が平行移動して離反するようになっている。
【００２３】
これにより、第１のブラシ体１及び第２のブラシ体３は、頭皮ＴＨの表面方向に平行に移動することとなる。これで、ブラシ部１Ａ，３Ａの裏面１Ｂ，３Ｂに設けた櫛状突起５は、頭皮表面を均等な圧力で傷付けることなく揉みほぐしてマッサージする。また、頭髪ｈのシャンプー時には、片手に頭髪洗浄器具１００を持って操作でき、もう一方の片手でシャンプーができ、頭髪の洗浄を均等に且つ頭髪を傷めることなく毛根内部までの洗浄が効率良くできる。しかして、マッサージ効果と毛根内部までの充分な洗浄により、発毛促進が期待される。また、上記第１のブラシ体１及び第２のブラシ体３の外側に設けた各係合部１Ｌ，３Ｌに手Ｈの親指根元Ｈ１と４本の指Ｈ２を掛ければ良いから、手の平に収められて持ち易く使用し易い。
【００２４】
また、第１のブラシ体１及び第２のブラシ体３の対向面に相互に食い込んで係合し合う凹面部１Ｊ，３Ｊと凸面部１Ｋ，３Ｋを設け、この凸面部に櫛状突起５を設けているから、頭皮ＴＨの表面を広く均等にマッサージできるとともに、洗髪も均等に効率良く行える。更に、一対の支持部１０，１１と弾性部材２０，３０との間に毛羽Ｋを設けているから、頭髪の先端がブラシ体１，３と弾性部材２０，３０との間に入り込むことがなく、安全且つ快適に使用される。
【００２５】
続いて、図７，図８を参照して本発明の第２の実施の形態を説明する。この第２の実施の形態の頭髪洗浄器具２００は、上記頭髪洗浄器具１００の第１のブラシ体１及び第２のブラシ体３における左右両側に設けた支持部１０，１１の構成を設計変更したものである。具体的には、第１のブラシ体１及び第２のブラシ体３において、その左右両側の対向部分に、軸受Ｇ１，Ｇ２としての孔部ｇ１，ｇ２が明けられている。この軸受Ｇ１，Ｇ２の背後位置に連続して太い孔Ｍ１，Ｍ２が明けられている。上記軸受Ｇ１，Ｇ２間には、軸棒Ｓ１，Ｓ２が挿通されて連結され、上記第１のブラシ体１及び第２のブラシ体３が平行に接近離反可能に形成されている。上記軸棒Ｓ１，Ｓ２には、弾性部材（コイルバネ）２０，３０を介装させて常時は第１のブラシ体１及び第２のブラシ体３を離反させる構成とする。尚、上記弾性部材２０，３０には、侵入阻止部材ＳＢとしての蛇腹状の伸縮カバー４０が被覆されている。これにより、弾性部材２０，３０に毛髪が入り込むのを防止できる。尚、この伸縮カバー４０内に、弾性部材２０，３０を一体的に織り込んだものを使用しても良い。その他の構成は、上記第１の実施の形態と同一につき、同一符号を付して説明を省略する。
【００２６】
しかして、図７と図８に示すように、第１のブラシ体１及び第２のブラシ体３は、一対の支持部１０，１１内に備える軸棒Ｓ１，Ｓ２に支持されて平行に接近離反することが可能となる。更に、弾性部材に２０，３０より常時は離反位置に反発保持される。
【００２７】
上記頭髪洗浄器具２００によると、２分割された第１のブラシ体１及び第２のブラシ体３は、頭皮の表面方向に平行移動され、ブラシ部の裏面に設けた櫛状突起が頭皮表面を均等な圧力で揉みほぐして頭皮を傷付けずにマッサージ効果が高められて発毛促進できる。更に、頭髪のシャンプー時には、片手でシャンプーができ、頭髪内部の毛根洗浄を均等にできる。
【００２８】
更に、第１のブラシ体及び第２のブラシ体の対向面に凹面部と凸面部が設けられ、この凸面部に櫛状突起を設けたから、頭皮の表面を広く均等にマッサージできるとともに、洗髪も均等に効率良くできる。そして、弾性部材に侵入阻止部材ＳＢとしての蛇腹状の伸縮カバー４０を被覆したから、頭髪の先端が支持部と弾性部材との間に入り込むことがなく、安全且つ快適に使用される。
【００２９】
尚、本発明は上記各実施の形態に限定されない。例えば、上記第１のブラシ体１及び第２のブラシ体３の裏面１Ｂ，３Ｂには、多数の櫛状突起５が起立して設けられているが、この櫛状突起５は、動物の毛や人工毛を少量ずつ束ねたものを裏面に植毛させても良い。更に、その他のブラシ機能を発揮できる任意な手段が採用でき、上記実施の形態の変更によっても同様な作用・効果を奏することができる。また、弾性部材２０、３０はコイルバネの他、弾性ゴム等を使用しても良い。
【産業上の利用可能性】
【００３０】
本発明は、頭髪洗浄器具の実施の形態で説明したが、それに限定されるものではなく、手や足等、身体の洗浄に使用されるマッサージ機能を備えた身体洗浄ブラシにも適用できるものである。
【図面の簡単な説明】
【００３１】
【図１】本発明の第１実施の形態を示し、頭髪洗浄器具の斜視図である。
【図２】本発明の第１実施の形態を示し、頭髪洗浄器具の底面図である。
【図３】本発明の第１実施の形態を示し、図２のＡ−Ａ線の断面図である。
【図４】本発明の第１実施の形態を示し、支持部の変形例の断面図である。
【図５】本発明の第１実施の形態を示し、頭髪洗浄器具の作用断面図である。
【図６】本発明の第１実施の形態を示し、頭髪洗浄器具の作用断面図である。
【図７】本発明の第２実施の形態を示し、頭髪洗浄器具の底面図である。
【図８】本発明の第２実施の形態を示し、図７のＢ−Ｂ線の断面図である。
【符号の説明】
【００３２】
１              第１のブラシ体
３              第２のブラシ体
１Ｃ，１Ｄ      支持片
１Ｅ，１Ｆ      角溝
１Ｅ´，１Ｆ´  管
１Ｇ，１Ｈ      角部
１Ｂ，３Ｂ      裏面
１Ｌ            係合部
３Ｌ            係合部
１Ｍ，１Ｎ      開口
１Ｊ，３Ｊ      凹面部
１Ｋ，３Ｋ      凸面部
３Ｃ，３Ｄ      支持片
３Ｃ´，３Ｄ´  球状支持片
３Ｇ，３Ｈ      角部
５              櫛状突起
１０，１１      支持部
２０，３０      弾性部材
４０            伸縮カバー
１００，２００  頭髪洗浄器具
Ｇ１，Ｇ２      軸受
ｇ１，ｇ２      孔部
ｈ              頭髪
Ｈ              手
Ｈ１            親指根元
Ｈ２            ４本の指
Ｋ              毛羽
Ｍ１，Ｍ２      孔
Ｓ１，Ｓ２      軸棒
ＳＢ            侵入阻止部材
【図１】
2005192694.tif 000003
【図２】
2005192694.tif 000004
【図３】
2005192694.tif 000005
【図４】
2005192694.tif 000006
【図５】
2005192694.tif 000007
【図６】
2005192694.tif 000008
【図７】
2005192694.tif 000009
【図８】
2005192694.tif 000010